(57)【要約】  【課題】ユーザーの意図しない印刷により無駄な印刷を行ったり、ユーザーが操作をやり直す必要がない印刷装置を提供する。  【解決手段】  少なくとも２つの給紙トレイ内に載置されている用紙が裏紙か否かを検知する裏紙検知手段を配置し、指定された用紙が検知された場合、当該用紙を出力手段に転送する。一方、指定された用紙が検知されない場合、その旨を警告する警告情報を出力する。  例えば、裏紙を使用して印刷を行いたいが、裏紙が給紙トレイにセットされていない場合に、ユーザーが印刷要求を出すと、その後、選択肢から選択するように要求してくるので、自分で印刷設定を変えなくても、選択するだけで印刷方法が変更できるので、第１の動作よりも簡単に、かつ、用紙を無駄に使ったり意図しない印刷を行ってしまうという問題点が解消される。【選択図】      図４
2005081749.tif 000002
【特許請求の範囲】
【請求項１】
用紙が載置される少なくとも２つの給紙トレイと、
前記給紙トレイ内に載置されている用紙が裏紙か否かを検知する裏紙検知手段と、
印刷する画像データを取得する印刷データ取得手段と、
普通紙又は裏紙を指定する用紙指定情報を取得する用紙指定情報取得手段と、
前記取得した画像データから形成される画像を用紙に出力する出力手段と、
前記取得した用紙指定情報で指定された用紙が前記裏紙検知手段で検知された場合、当該用紙を前記出力手段に転送する転送手段と、
前記取得した用紙指定情報で指定された用紙が前記裏紙検知手段で検知されない場合、その旨を警告する警告情報を出力する警告手段と、
を具備することを特徴とする印刷装置。
【請求項２】
前記用紙指定情報が裏紙を指定し、かつ、前記裏紙検知手段で裏紙が検知されない場合、
前記警告手段は、裏紙がないことを表示するための情報を警告情報として出力する、
ことを特徴とする請求項１に記載の印刷装置。
【請求項３】
前記用紙指定情報が裏紙を指定し、かつ、前記裏紙検知手段で裏紙が検知されず、普通紙が検知された場合、
前記警告手段は、普通紙に片面ずつ印刷するか、普通紙で両面印刷するか、裏紙を補給するかの選択肢を表示するための情報を警告情報として出力することを特徴とする請求項１に記載の印刷装置。
【請求項４】
前記用紙指定情報が普通紙の両面印刷を指定し、かつ、前記裏紙検知手段で普通紙が検出されない場合、
前記警告手段は、普通紙がないことを表示するための情報を警告情報として出力する、
ことを特徴とする請求項１に記載の印刷装置。
【請求項５】
前記用紙指定情報が普通紙の両面印刷を指定し、かつ、前記裏紙検知手段で普通紙が検知されず、裏紙が検知された場合、
前記警告手段は、裏紙に片面ずつ印刷するか、普通紙を補給するかの選択肢を表示するための表示を警告情報として出力する、
ことを特徴とする請求項１に記載の印刷装置。
【請求項６】
前記警告手段から出力した警告情報に対応して選択された選択情報を取得する選択情報取得手段を備え、
前記転送手段は、前記取得した選択情報に対応した用紙を前記出力手段に転送する、
ことを特徴とする請求項３又は請求項５に記載の印刷装置。
【発明の詳細な説明】
【技術分野】
【０００１】
本発明は、複数の給紙トレイを備え、給紙トレイに載置された用紙が裏紙（再利用紙(既に裏に印刷された用紙)）か否かを検知する機能を搭載した印刷装置に関する。
【背景技術】
【０００２】
コピー機（複写機）、ファクシミリ装置、プリンタ装置等の、用紙に画像データから形成した画像を印刷する、各種印刷装置が広く普及している。
このような印刷装置において、近年、環境問題への取り組みの中で、省資源化の観点から裏紙を使用することが多くなってきている。
従来、裏紙検知機能をもつ印刷装置について、給紙部にセンサーを持ち、セットされている用紙が普通紙か裏紙かを検知し、その結果を用いて、印刷を制御する方法が提案されている。
【特許文献１】特開平１１−３０５６０４
【特許文献２】特開平１０−３１２０９１
【０００３】
特許文献１では、裏紙にプリントするように指定されたが、裏紙検知により裏紙が給紙カセットにない場合に、自動的に普通紙に印刷し、また、両面印刷指定なのに普通紙が入っていない場合に、自動的に裏紙に片面づつ印刷する、等、自動的に切り替える技術について記載されている。
このように、自動的に普通紙と裏紙の使い分けを行うので、ユーザーの操作によって裏紙に両面印刷してしまったり、普通紙に大量に片面印刷してしまったりという、誤った印刷や資源の浪費をしてしまうことが防止される。
【０００４】
一方、特許文献２では、裏紙が給紙カセットにセットされているときは裏紙がセットされていることを外部装置に表示し、また、裏紙が全ての給紙カセットにセットされているときは両面印刷不可と給紙カセットに普通紙を給紙するように外部装置に表示する、または、両面印刷を禁止し選択できないようにする技術が記載されている。
【発明の開示】
【発明が解決しようとする課題】
【０００５】
特許文献１記載の技術では、たとえば、ユーザが裏紙に印刷しようとしているにも拘わらずに、裏紙が給紙カセット内にセットしないことを理由に、自動的に普通紙に印刷された場合には、逆にユーザの意志と異なるために無駄な印刷が行われることになる。
また、両面印刷指定したのに、普通紙が入っていなことを理由に、自動的に裏紙に片面づつ印刷される場合も同様に無駄な印刷となる。
【０００６】
また、特許文献２記載の技術では、両面印刷指定したのに、裏紙が入っていると、両面印刷をキャンセルされたり、両面印刷不可と給紙カセット内に普通紙をセットするように表示される。しかし、ユーザの意志としては、普通紙が入っていないなら、裏紙に片面づつの印刷でもいい場合があり、このような場合でもユーザは、最初から操作をやりなおさなくてはならず、手間がかかってしまう。
【０００７】
本発明は、ユーザーの意図しない印刷により無駄な印刷を行ったり、ユーザーが操作をやり直す必要がない印刷装置を提供することを目的とする。
【課題を解決するための手段】
【０００８】
請求項１に記載した発明では、用紙が載置される少なくとも２つの給紙トレイと、前記給紙トレイ内に載置されている用紙が裏紙か否かを検知する裏紙検知手段と、印刷する画像データを取得する印刷データ取得手段と、普通紙又は裏紙を指定する用紙指定情報を取得する用紙指定情報取得手段と、前記取得した画像データから形成される画像を用紙に出力する出力手段と、前記取得した用紙指定情報で指定された用紙が前記裏紙検知手段で検知された場合、当該用紙を前記出力手段に転送する転送手段と、前記取得した用紙指定情報で指定された用紙が前記裏紙検知手段で検知されない場合、その旨を警告する警告情報を出力する警告手段と、を印刷装置に具備させて前記目的を達成する。
請求項２に記載の発明では、請求項１に記載の印刷装置において、前記用紙指定情報が裏紙を指定し、かつ、前記裏紙検知手段で裏紙が検知されない場合、前記警告手段は、裏紙がないことを表示するための情報を警告情報として出力する、ことを特徴とする。
請求項３に記載の発明では、請求項１に記載の印刷装置において、前記用紙指定情報が裏紙を指定し、かつ、前記裏紙検知手段で裏紙が検知されず、普通紙が検知された場合、前記警告手段は、普通紙に片面ずつ印刷するか、普通紙で両面印刷するか、裏紙を補給するかの選択肢を表示するための情報を警告情報として出力することを特徴とする。
請求項４に記載の発明では、請求項１に記載の印刷装置において、前記用紙指定情報が普通紙の両面印刷を指定し、かつ、前記裏紙検知手段で普通紙が検出されない場合、前記警告手段は、普通紙がないことを表示するための情報を警告情報として出力する、ことを特徴とする。
請求項５に記載の発明では、請求項１に記載の印刷装置において、前記用紙指定情報が普通紙の両面印刷を指定し、かつ、前記裏紙検知手段で普通紙が検知されず、裏紙が検知された場合、前記警告手段は、裏紙に片面ずつ印刷するか、普通紙を補給するかの選択肢を表示するための表示を警告情報として出力する、ことを特徴とする。
請求項６に記載の発明では、請求項３又は請求項５に記載の印刷装置において、前記警告手段から出力した警告情報に対応して選択された選択情報を取得する選択情報取得手段を備え、前記転送手段は、前記取得した選択情報に対応した用紙を前記出力手段に転送する、ことを特徴とする。
【発明の効果】
【０００９】
本発明によれば、用紙指定情報で指定された用紙が裏紙検知手段で検知されない場合に、その旨を警告する警告情報を出力するようにしたので、ユーザーの意図しない印刷により無駄な印刷を行ったり、ユーザーが操作をやり直す必要がなくなる。
【発明を実施するための最良の形態】
【００１０】
以下、本発明の印刷装置における好適な実施の形態について、パソコン等の外部装置に接続されたプリンタ装置を例に、図１から図９を参照して詳細に説明する。
図１は、プリンタ装置の構成例を表したものである。
この図１に示されるように本実施形態のプリンタ装置は、プリンタコントローラ部と、給紙トレイと、裏紙検知手段と、転送手段と、出力手段とを備えている。
【００１１】
プリンタコントローラ部は、印刷する画像データを取得する印刷データ取得手段、普通紙又は裏紙を指定する用紙指定情報を取得する用紙指定情報取得手段、用紙指定情報で指定された用紙が検知されない場合にその旨の警告情報を出力する警告手段、及び、出力した警告情報に対応して選択された選択情報を取得する選択情報取得手段として機能する。
すなわち、プリンタコントローラ部は、パーソナルコンピュータ（パソコン）等の外部装置と接続（ネットワーク接続を含む）されており、外部装置から供給される、印刷対象となる画像データと印刷対象となる用紙及び印刷形式（片面印刷か両面印刷か）を指定する制御情報（用紙指定情報）を取得するようになっている。そして、給紙トレイ、裏紙検知手段、転送手段、出力手段の各部を制御することで、取得した画像データから印刷する画像を形成したり、裏紙を使用するかを示す制御信号（用紙指定情報）から、裏紙に印刷するようになっている。
また、プリンタコントローラ部は、制御信号で指定された用紙が無い場合に、その旨の警告情報を外部装置に出力し、この警告に対応して選択され外部装置から供給される選択情報を取得するようになっている。プリンタコントローラ部は、外部装置から取得した選択情報、例えば、両面印刷指定で普通紙が存在しない場合の警告に対して、裏紙に片面ずつ印刷を指示する選択情報を取得した場合、取得済みの画像データによる画像を片面印刷するように各部を制御する。
【００１２】
なお、印刷装置としてファクシミリ装置に適用した場合、プリンタコントローラ部は、パーソナルコンピュータ等に接続される他、外部端末として電話回線網やファクシミリ網に接続された他のファクシミリ装置に接続される。この場合のプリンタコントローラ部は、画像データを外部装置から取得し、用紙指定情報と選択情報を当該ファクシミリ装置の入力部からの入力により用紙指定情報を取得し、警告情報をファクシミリ装置の表示部（液晶表示画面等）に出力する。
【００１３】
また、印刷装置として複写装置に適用した場合、プリンタコントローラ部は、原稿載置部に載置された原稿を読み取る画像読み取り部から画像データを取得し、用紙指定情報と選択情報を当該複写装置の入力部からの入力により用紙指定情報を取得し、警告情報を複写機の表示部（液晶表示画面等）に出力する。
【００１４】
プリンタ装置は、図１に示されるように、複数の給紙トレイを備えており、異なるサイズの用紙や、普通紙、裏紙等の各種用紙が載置されるようになっている。
【００１５】
これら各給紙トレイの各々には、給紙トレイに載置された用紙が裏紙か普通紙かを検知する裏紙検知手段が配置されている。
裏紙検知手段は、給紙トレイの下方に配置された反射型フォトセンサからの検知信号により、裏紙か普通紙かを検出する。すなわち、Ｎ個（例えば、１０個）の反射型フォトセンサを給紙トレイの下方に配置し、その内ｎ個（Ｎ＞ｎで、例えば、８個）以上が黒部検知信号を出力したときに、裏紙検知手段は、当該給紙トレイに裏紙が載置されていることを検知し、ｎ個未満が黒検知信号を出力したときに普通紙が載置されていることを検知する。
【００１６】
なお、裏紙検知手段は、反射型フォトセンサを給紙トレイの下方に配置する場合だけでなく、裏紙の存在を容易に認識できるようにするために裏紙の記載済み面を上にして載置する給紙トレイと転送手段の場合には、反射型フォトセンサを給紙トレイの上方に配置する。
また、これら上記方法に限られず、給紙トレイに載置された用紙が裏紙か普通紙かを他の方法で検知するようにしてもよい。
【００１７】
転送手段は、プリンタコントローラ部からの裏紙使用か普通紙使用かを制御する信号により、裏紙のセットされた給紙トレイまたは普通紙のセットされた給紙トレイから用紙を出力手段まで転送するようになっている。
出力手段は、プリンタコントローラ部で形成された画像を、転送手段により転送された用紙に出力するようになっている。
【００１８】
このように構成された本実施形態におけるプリンタ装置の動作について説明する。
（１）第１の動作
図２は、第１の動作について表したフローチャートである。
この第１動作は、裏紙による印刷が外部装置から要求された場合の動作である。
外部装置から印刷すべき画像データと、裏紙を指定する用紙指定情報が供給されると、プリンタコントローラ部は、印刷要求を受け付ける（ステップ２１）。
そして、プリンタコントローラ部は、各裏紙検知手段を制御して、裏紙を検知し（ステップ２２）、給紙トレイに裏紙がセットされているか否かを判断する（ステップ２３）。
なお、用紙のサイズが規定されている場合には、指定されたサイズの用紙が載置されて言うリース給紙トレイに対して裏紙の検知が行われる（以下の各動作も同様である）。
【００１９】
給紙トレイに裏紙がセットされている場合には（ステップ２３；Ｙ）、プリンタコントローラ部は、転送手段を制御して検知されたトレイから裏紙を出力手段に転送し、出力手段を制御して取得した画像データの画像を裏紙に印刷する（ステップ２６）。
一方、給紙トレイに裏紙がセットされていない場合（ステップ２３；Ｎ）、プリンタコントローラ部は、裏紙がセットされていないことを表示するための警告情報を外部装置に出力する（ステップ２４）。警告情報は、裏紙がセットされていないことを示す予め決められた所定の符号情報でもよく、外部装置の表示部に表示するための画像情報でもよい（以下の各動作も同様である）。
図３は、外部装置の表示部に表示される、裏紙が給紙トレイにセットされていないことを警告する警告画面を例示したものである。
【００２０】
警告情報を表示した外部装置では、新たな印刷設定画面を表示し、設定された新たな印刷設定（用紙の指定等）がプリンタコントローラ部に供給され（ステップ２５）、プリンタコントローラ部は、供給された設定に基づいて印刷を実行する（ステップ２６）。
【００２１】
以上説明したように、第１の動作により、裏紙が給紙カセットにセットされていない場合に、印刷指定する段階で、外部装置に、たとえば“裏紙がセットされていません！”等の裏紙がないということのわかる表示をすることにより、ユーザーが裏紙が無いことを認識し、ユーザーの意図しない印刷を行って（無駄に普通紙に印刷して）しまったり、ユーザーが操作をやり直すなど、手間がかかる、という問題点が解消される。
すなわち、裏紙を使用して印刷を行いたいが、裏紙が給紙トレイにセットされていない場合に、ユーザーが印刷要求を出した時点でわかるため、給紙を行う、あるいは、裏紙がセットされていないのなら、両面印刷する、等の選択を再度することができるので、用紙を無駄に使ってしまう、あるいは、意図しない印刷を行ってしまうという問題点が解消される。
【００２２】
（２）第２の動作
この第２の動作は、第１の動作の変形例で、裏紙による印刷が外部装置から要求された場合の他の動作である。
図４は、第２動作について表したフローチャートである。
外部装置から印刷すべき画像データと、裏紙を指定する用紙指定情報が供給されると、プリンタコントローラ部は、印刷要求を受け付ける（ステップ４１）。
次にプリンタコントローラ部は、各裏紙検知手段を制御して、裏紙を検知し（ステップ４２）、給紙トレイに裏紙がセットされているか否かを判断する（ステップ４３）。
【００２３】
給紙トレイに裏紙がセットされている場合には（ステップ４３；Ｙ）、プリンタコントローラ部は、最初に選択された印刷の設定に従って、転送手段を制御して検知されたトレイから裏紙を出力手段に転送し、出力手段を制御して取得した画像データの画像を裏紙に印刷する（ステップ４９）。
一方、給紙トレイに裏紙がセットされていない場合（ステップ４３；Ｎ）、プリンタコントローラ部は、裏紙がセットされていないことを表示するための警告と、それに対するユーザの選択肢を表示する警告情報を外部装置に出力する（ステップ４４）。
【００２４】
図５は、第２動作において、外部装置の表示部に表示される警告画面を例示したものである。
図５に示されるように、警告情報の出力により、外部装置の表示部には、裏紙が存在しない旨の警告と、（ａ）普通紙にそのまま（片面ずつ）プリントするか？、（ｂ）普通紙に両面印刷するか？、（ｃ）裏紙を給紙トレイにセットするか？、の選択肢が表示される。
【００２５】
この外部装置の表示部に表示された警告画面において、ユーザが選択肢のうちのいずれか１つを選択すると、外部装置からプリンタコントローラ部に選択された項目を指定する選択情報が供給され、プリンタコントローラ部は選択情報からどの選択肢が選択されたかを判断する（ステップ４５）。
プリンタコントローラ部は、選択情報が（ａ）である場合、普通紙を転送するように転送手段を制御して普通紙による片面印刷を実行する（ステップ４６）。
一方、選択情報が（ｂ）である場合、プリンタコントローラ部は、転送手段に普通紙を転送するように制御し、普通紙による両面印刷を実行する（ステップ４７）。
また、選択情報が（ｃ）である場合、プリンタコントローラ部は、裏紙検知手段を制御して裏紙が給紙トレイにセットされたかを判断し（ステップ４８）、セットされた場合（ステップ４８；Ｙ）、最初に選択された条件での印刷を実行する（ステップ４９）。
【００２６】
以上説明したように、第２の動作により、第１の動作と同様に、裏紙がセットされていない場合に、外部装置に、裏紙が入っていないという表示と、普通紙に片面ずつ印刷するか、普通紙に両面印刷するか、裏紙をセットしてから実行するか等の選択肢を表示させることで、ユーザーの意図しない印刷を行ってしまったり、操作のやり直しなどで手間がかかってしまうという問題点を解消するための方法を提案する。
すなわち、裏紙を使用して印刷を行いたいが、裏紙が給紙トレイにセットされていない場合に、ユーザーが印刷要求を出すと、その後、選択肢から選択するように要求してくるので、自分で印刷設定を変えなくても、選択するだけで印刷方法が変更できるので、第１の動作よりも簡単に、かつ、用紙を無駄に使ったり意図しない印刷を行ってしまうという問題点が解消される。
【００２７】
（３）第３の動作
この第３の動作は、両面印刷が外部装置から供給された場合の他の動作である。
図６は、第３の動作について表したフローチャートである。
この第１動作は、裏紙による印刷が外部装置から要求された場合の動作である。
外部装置から印刷すべき画像データと、裏紙を指定する用紙指定情報が供給されると、プリンタコントローラ部は、印刷要求を受け付ける（ステップ６１）。
そして、プリンタコントローラ部は、各裏紙検知手段を制御して、普通紙を検知し（ステップ６２）、給紙トレイに普通紙ががセットされているか否かを判断する（ステップ６３）。
【００２８】
給紙トレイに普通紙がセットされている場合には（ステップ６３；Ｙ）、プリンタコントローラ部は、転送手段を制御して検知されたトレイから普通紙を出力手段に転送し、出力手段を制御して取得した画像データの画像を普通紙の両面に印刷する（ステップ２６）。
一方、給紙トレイに普通紙がセットされていない場合（ステップ６３；Ｎ）、プリンタコントローラ部は、普通紙がされていないことを表示するための警告情報を外部装置に出力する（ステップ２４）。
図７は、外部装置の表示部に表示される、普通紙が給紙トレイにセットされていないことを警告する警告画面を例示したものである。
【００２９】
警告情報を表示した外部装置では、新たな印刷設定画面を表示し、設定された新たな印刷設定（用紙の指定等）がプリンタコントローラ部に供給され（ステップ６５）、プリンタコントローラ部は、供給された設定に基づいて印刷を実行する（ステップ６６）。
【００３０】
以上説明したように、第３の動作により、普通紙が給紙カセットにセットされていない場合に、印刷指定する段階で、外部装置に、たとえば“普通紙がセットされていません！”等の普通紙がないということのわかる表示をすることにより、ユーザーが普通紙が無いことを認識し、ユーザーの意図しない印刷を行って（裏紙に片面ずつ印刷して）しまったり、ユーザーが操作をやり直すなど、手間がかかる、という問題点を解消することができる。
すなわち、両面印刷を行いたいが、普通紙が給紙トレイにセットされていない場合に、ユーザーが印刷要求を出した時点でわかるため、給紙を行う、あるいは、裏紙しかセットされていないのなら、片面印刷する、等の選択を再度することができるので、ミスプリント（二重印刷）で用紙を無駄に使ってしまう、あるいは、意図しない印刷を行ってしまうという問題点が解消される。
【００３１】
（４）第４の動作
この第４の動作は、第２の動作の変形例で、両面印刷が外部装置から要求された場合の他の動作である。
図８は、第４動作について表したフローチャートである。
外部装置から印刷すべき画像データと、普通紙による両面印刷を指定する用紙指定情報が供給されると、プリンタコントローラ部は、印刷要求を受け付ける（ステップ８１）。
次にプリンタコントローラ部は、各裏紙検知手段を制御して、普通紙を検知し（ステップ８２）、給紙トレイに普通紙がセットされているか否かを判断する（ステップ８３）。
【００３２】
給紙トレイに裏紙がセットされている場合には（ステップ８３；Ｙ）、プリンタコントローラ部は、最初に選択された印刷の設定に従って、転送手段を制御して検知されたトレイから普通紙を出力手段に転送し、出力手段を制御して取得した画像データの画像を普通紙の両面に印刷する（ステップ８８）。
一方、給紙トレイに普通紙がセットされていない場合（ステップ８３；Ｎ）、プリンタコントローラ部は、普通紙がセットされていないことを表示するための警告と、それに対するユーザの選択肢を表示する警告情報を外部装置に出力する（ステップ８４）。
【００３３】
図９は、第４動作において、外部装置の表示部に表示される警告画面を例示したものである。
図９に示されるように、警告情報の出力により、外部装置の表示部には、普通紙が存在しない旨の警告と、（ａ）裏紙に片面印刷するか？、（ｂ）普通紙を給紙トレイにセットするか？の選択肢が表示される。
【００３４】
この外部装置の表示部に表示された警告画面において、ユーザが選択肢のうちのいずれか１つを選択すると、外部装置からプリンタコントローラ部に選択された項目を指定する選択情報が供給され、プリンタコントローラ部は選択情報からどの選択肢が選択されたかを判断する（ステップ８４）。
プリンタコントローラ部は、選択情報が（ａ）である場合、裏紙を転送するように転送手段を制御して、裏紙に片面印刷を実行する（ステップ８６）。
一方、選択情報が（ｂ）である場合、プリンタコントローラ部は、裏紙検知手段を制御して普通紙が給紙トレイにセットされたか判断し（ステップ８７）、セットされた場合（ステップ８７；Ｙ）、最初に選択された条件での印刷を実行する（ステップ８８）。
【００３５】
以上説明したように第４動作により、普通紙がセットされていない場合に、外部装置に、普通紙が入っていないという表示と、裏紙に片面ずつ印刷するか、普通紙をセットしてから実行するか等の選択肢を表示し、ユーザーの意図しない印刷を行ってしまったり、操作のやり直しなどで手間がかかってしまうという問題点が解消される。
すなわち、両面印刷を行いたいが、普通紙が給紙トレイにセットされていない場合に、ユーザーが印刷要求を出すと、その後、選択肢から選択するように要求してくるので、自分で印刷設定を変えなくても、選択するだけで印刷方法が変更できるので、請求項３より簡単に、かつ、ミスプリント（二重印刷）で用紙を無駄に使ってしまう、あるいは、意図しない印刷を行ってしまうという問題点が解消される。
【図面の簡単な説明】
【００３６】
【図１】本発明の実施形態における印刷装置をプリンタ装置に適用した場合の構成図である。
【図２】本実施形態における第１の動作について表したフローチャートである。
【図３】本実施形態において、外部装置の表示部に表示される、裏紙が給紙トレイにセットされていないことを警告する警告画面を例示した説明図である。
【図４】本実施形態における第２動作について表したフローチャートである。
【図５】本実施形態の第２動作において、外部装置の表示部に表示される警告画面を例示した説明図である。
【図６】本実施形態における第３の動作について表したフローチャートである。
【図７】本実施形態において、外部装置の表示部に表示される、普通紙が給紙トレイにセットされていないことを警告する警告画面を例示した説明図である。
【図８】本実施形態における第４動作について表したフローチャートである。
【図９】本実施形態の第４動作において、外部装置の表示部に表示される警告画面を例示した説明図である。
【図１】
2005081749.tif 000003
【図２】
2005081749.tif 000004
【図３】
2005081749.tif 000005
【図４】
2005081749.tif 000006
【図５】
2005081749.tif 000007
【図６】
2005081749.tif 000008
【図７】
2005081749.tif 000009
【図８】
2005081749.tif 000010
【図９】
2005081749.tif 000011